(57)【要約】本発明による巻付型カートンは、頂壁パネルに対しておよび一対をなす底壁フラップに対して折曲可能に連結された対向側壁パネルを具備している。端部保持構造は、側壁パネルの少なくとも一方と底壁フラップの隣接している一方とに対して連結されている。端部保持構造は、一方の側壁パネルに対して連結されかつ一方の側壁パネルの内面に対して面接触関係で配置されるアンカーパネルと、このアンカーパネルに対して折曲可能に連結されかつカートンの隣接端部穴に向けて延在するガセットパネルと、このガセットパネルに対して折曲可能に連結されるとともにカートンからの端部物品の逸脱を防止し得るようカートン内にパッケージングされた端部物品に対して係合するようにして配置される端部パネルと、を備えている。端部保持構造は、さらに、端部パネルと隣接底壁フラップとを折曲可能に相互連結する逃げパネルを備えている。
2005503965.tif 000002
【特許請求の範囲】
【請求項１】
巻付型カートンであって、
頂壁パネルと；
一対をなして対向しているとともに、前記頂壁パネルに対して折曲可能に連結された、側壁パネルと；
これら側壁パネルのそれぞれ対応するものに対して折曲可能に連結された、一対をなす底壁フラップと；
前記側壁パネルの少なくとも一方と前記底壁フラップの隣接している一方とに対して連結された端部保持構造と；
を具備してなり、
前記端部保持構造が、
前記一方の側壁パネルの端部エッジに対して折曲可能に連結されるとともに前記一方の側壁パネルの内面に対して面接触関係で配置されるアンカーパネルと、
このアンカーパネルに対して折曲可能に連結されるとともに前記カートンの隣接端部穴に向けて延在するガセットパネルと、
このガセットパネルに対して折曲可能に連結されるとともに前記カートンからの端部物品の逸脱を防止し得るよう前記カートン内にパッケージングされた前記端部物品に対して係合するようにして配置される端部パネルと、
この端部パネルと前記隣接底壁フラップとを折曲可能に相互連結する逃げパネルと、
を備え、
前記逃げパネルが、前記カートンが組立状態とされた時には前記隣接底壁フラップがなす平面内に位置するとともに、前記カートンがブランクの形態とされている時に前記一方の側壁上への前記アンカーパネルの折曲に応答して前記平面の外部へと移動することを特徴とするカートン。
【請求項２】
請求項１記載のカートンにおいて、
前記底壁フラップどうしが互いに固定されることによって、複合型の底壁パネルが形成されることを特徴とするカートン。
【請求項３】
請求項１記載のカートンにおいて、
前記アンカーパネルが、前記一方の側壁パネルの前記内面に対して固定されることを特徴とするカートン。
【請求項４】
請求項１記載のカートンにおいて、
前記端部保持構造内には、前記端部保持構造の折曲を容易とし得るよう、切欠が形成されていることを特徴とするカートン。
【請求項５】
請求項４記載のカートンにおいて、
前記切欠が、少なくとも部分的には前記アンカーパネル内に形成されていることを特徴とするカートン。
【請求項６】
請求項１記載のカートンにおいて、
前記逃げパネルが、第１折曲線に沿って前記一方の底壁フラップに対して連結され、
前記ガセットパネルと前記アンカーパネルとが、第２折曲線に沿って互いに連結され、
前記第１折曲線が、前記第２折曲線に対して位置合わせされて配置されていることを特徴とするカートン。
【請求項７】
請求項６記載のカートンにおいて、
前記逃げパネルと前記端部パネルとが、第３折曲線に沿って互いに連結され、
前記アンカーパネルと前記一方の側壁パネルとが、第４折曲線に沿って互いに連結され、
前記第１折曲線と前記第３折曲線とが、第１角度を形成し、
前記第２折曲線と前記第４折曲線とが、第２角度を形成し、
前記第１角度が、前記第２角度に対して、略等しいものとされていることを特徴とするカートン。
【請求項８】
請求項７記載のカートンにおいて、
前記ガセットパネルと前記端部パネルとが、第５折曲線に沿って互いに連結され、
前記第４折曲線と前記第５折曲線とが、第３角度を形成し、
前記第２角度が、前記第３角度の約半分とされていることを特徴とするカートン。
【発明の詳細な説明】
【技術分野】
【０００１】
本発明は、広義には、厚紙や同様の折曲可能材料から形成された巻付型物品カートンに関するものであり、より詳細には、端部の物品がカートンから逸脱することを防止するための端部保持構造を備えた巻付型カートンに関するものである。
【背景技術】
【０００２】
巻付型カートンは、複数の物品をパッケージングするに際して安価でかつ効果的な手段をもたらすものであって、最小サイズのブランクしか必要とせず、パターン機械を高速で操業することができる。巻付型カートンは、例えば缶や瓶やブリックといったような一群をなす複数の物品の周囲にカートンを巻き付け、ブランクの端部どうしを互いに固定することによって、形成される。巻付型カートンによっては、一体型の端部パネルを有しているものも存在するけれども、大部分の巻付型カートンは、端部が開放状態とされている。物品は、これら物品の周囲にカートンブランクを緊密に巻き付けることによって、開放端部からの逸脱が防止されている。また、カートンの両端に端部保持構造を設けることによっても、開放端部からの逸脱が防止されている。典型的な端部保持構造は、カートンの側壁パネルの端部エッジに対して連結されたアンカーパネルと、底壁パネルの端部エッジに対して連結された端部パネルと、アンカーパネルと端部パネルとを相互連結するガセットパネルと、から構成されている。アンカーパネルは、対応する側壁パネルの内面に対して面接触関係をなすように、１８０°折り曲げる。これにより、ガセットパネルが、端部パネルを内方に引っ張り上げる。これにより、端部パネルが、上向きに直立することとなり、これにより、端部パネルが、端部の物品に対して係合し、カートンからのその物品の逸脱を防止する。アンカーパネルは、端部物品がアンカーパネルを押圧することによって、折曲位置に維持される。このため、端部パネルを、直立状態に維持する。
【０００３】
巻付型カートン内に様々な物品を収容するに際し、そのような手法がうまく機能するものの、上記カートンのカートン形成プロセスすなわち直立化プロセスにおいて、欠点が存在する。アンカーパネルの折曲操作は、端部パネルの直立化を行うだけではなく、隣接した底壁フラップの内向き折曲をも行う。このため、アンカーパネルの折曲は、カートンブランク内に一群の物品をパッケージングするエンドユーザーによって行われる必要がある。そのようなカートン適用プロセスすなわちカートン形成プロセスは、隣接した底壁重ね合わせパネルの折曲ステップ時にアンカーパネルに係合するような、特殊な機械部材の使用を必要とする。そのような機械部材を使用したカートン形成プロセスは、パッケージング機械の操業速度を遅くし、生産性に悪影響を与える。さらに、保持構造を備えた巻付型カートンは、保持構造を備えておらずかつ保持構造を備えた巻付型カートンのために調整されたパッケージング機械上を通すことができない。
【０００４】
したがって、アンカーパネルの折曲のための特殊部材を備えていないような通常構成のパッケージング機械を通し得るような、巻付型カートンが要望されている。なお、本出願人の知る限りにおいては、本出願に関連性を有する先行技術文献は存在しない。
【発明の開示】
【課題を解決するための手段】
【０００５】
本発明による巻付型カートンは、当該技術分野においては周知なように、頂壁パネルに対しておよび一対をなす底壁フラップに対して折曲可能に連結された対向側壁パネルを具備している。端部保持構造は、側壁パネルの少なくとも一方と底壁フラップの隣接している一方とに対して連結されている。端部保持構造は、一方の側壁パネルの端部エッジに対して連結されかつ一方の側壁パネルの内面に対して面接触関係で配置されるアンカーパネルと、このアンカーパネルに対して折曲可能に連結されかつカートンの隣接端部穴に向けて延在するガセットパネルと、このガセットパネルに対して折曲可能に連結されるとともにカートンからの端部物品の逸脱を防止し得るようカートン内にパッケージングされた端部物品に対して係合するようにして配置される端部パネルと、を備えている。端部保持構造は、さらに、端部パネルと隣接底壁フラップとを折曲可能に相互連結する逃げパネルを備えている。逃げパネルは、カートンが組立状態とされた時には隣接底壁フラップがなす平面内に位置する。しかしながら、カートンがブランクの形態とされている時には、逃げパネルは、一方の側壁上へのアンカーパネルの折曲に応答して、折れ曲がることができる。この構成により、アンカーパネルを折り曲げ位置とした後においてさえも、ブランクは、フラットな圧潰状態を維持することができる。
【０００６】
本発明の好ましい実施形態においては、底壁フラップどうしが互いに固定されることによって、複合型の底壁パネルが形成される。
【０００７】
他の好ましい実施形態においては、アンカーパネルは、一方の側壁パネルの内面に対して固定される。
【０００８】
さらに他の好ましい実施形態においては、端部保持構造内には、端部保持構造の折曲を容易とし得るよう、切欠が形成されている。
【０００９】
さらなる好ましい実施形態においては、切欠は、少なくとも部分的にはアンカーパネル内に形成されている。
【００１０】
さらなる好ましい実施形態においては、逃げパネルを一方の底壁フラップに対して連結している第１折曲線は、ガセットパネルとアンカーパネルとを互いに連結している第２折曲線に対して、位置合わせして配置されている。第１折曲線と、逃げパネルと端部パネルとを互いに連結している第３折曲線と、の間の第１角度は、第２折曲線と、アンカーパネルと一方の側壁パネルとを互いに連結している第４折曲線と、の間の第２角度に対して、略等しいものとされる。第２角度は、第４折曲線と、ガセットパネルと端部パネルとを互いに連結している第５折曲線と、の間の第３角度の約半分とされる。
【発明を実施するための最良の形態】
【００１１】
本発明の上記の見地や他の見地および本発明の利点は、本発明の好ましい実施形態に関する以下の詳細な説明を読むことにより、明瞭となるであろう。
【００１２】
図１においては、例示の目的のために内容物を省略した状態で、巻付型カートン（１０）の組立状態が示されている。カートン（１０）は、一列をなして配置された３つの瓶を収容し得るように構成されている。しかしながら、カートンを少し変更することによって、カートンは、例えば缶やブリックや音楽カセットやビデオカセット等といったような他の複数の物品をパッケージングすることができる。パッケージングされる瓶は、底壁パネル（１２）上に支持されるべきである。瓶の頂部は、頂壁パネル（１６）のところにまで延在するとともに、頂部受領穴（１４）内に受領されて、各穴から視認可能とされる。各瓶に対して、一対をなす２つの頂部受領穴（１４）が設けられている。対向側壁パネル（１８，２０）は、中断部分付きの折曲線（２２，２４）のそれぞれに沿って、頂壁パネル（１６）に対して折曲可能に連結されている。底壁パネル（１２）は、図２に示すように、一対をなす２つの底壁重ね合わせフラップ（４２，４４）から形成されている。これら重ね合わせフラップ（４２，４４）は、折曲線（２６，２８）のそれぞれに沿って、対応する側壁パネル（１８，２０）に対して折曲可能に連結されている。互いに平行でありかつ折曲線（２２，２４）からわずかな距離だけ離間して位置している折曲線（３０，３２）は、側壁パネル（１８，２０）のうちの、それぞれの傾斜付き上部パネル部分（３４，３６）を形成する。これら傾斜付きパネル部分（３４，３６）には、各瓶をカートン内に固定的に収容し得るよう各瓶の頂部を受領するための上記受領穴（１４）が形成されている。図１に示すカートンは、均一な直径のストレートな底部を有した瓶や他の物品をパッケージングするのに特に好適ではあるものの、以下の説明により、本発明によるカートンを使用することによって、時に花弁形状といったような角度付きのすなわちテーパー状の底部を有した形状の物品であってもパッケージング可能であることは、明らかとなるであろう。そのような場合には、側壁パネル（１８，２０）のそれぞれに、傾斜付き下部パネル部分を設ける必要がある。図２に明瞭に示すように、端部保持構造（３８，４０）は、折曲線（４６，４８）に沿って底壁重ね合わせフラップ（４２）に対して折曲可能に連結されているとともに、折曲線（５０，５２）に沿って側壁パネル（１８）に対して折曲可能に連結されている。図１のカートンにおいては、カートンの各端部につき単一の保持構造しか設けられていないけれども、各開放端部につき、２つの保持構造を設けることができる。そのような場合には、他の対をなす保持構造が、保持構造（３８，４０）の場合と同様にして、底壁重ね合わせフラップ（４４）と側壁パネル（２０）とに対して連結されることとなる。
【００１３】
図２は、図１のカートン（１０）を形成するためのブランク（５４）を示している。図２においては、図１と同じ符号は、同様の部材を示している。ブランク（５４）は、両側部において折曲線（２２，２４）に沿って傾斜付き上部パネル部分（３４，３６）に対して連結された頂壁パネル（１６）を、備えている。頂壁パネル（１６）には、カートン内にパッケージングされる物品の頂部を受領するための三日月形状穴（１４）が形成されている。
【００１４】
折曲線（２６，２８）は、側壁パネル（１８，２０）を、底壁重ね合わせフラップ（４２，４４）に対して連結している。底壁重ね合わせフラップ（４２）は、このフラップから切り出されたメス型ロックタブ（５６）を有している。これらメス型ロックタブ（５６）は、折曲線（５８）によって底壁重ね合わせフラップ（４２）に対して折曲可能に連結されている。これらメス型ロックタブ（５６）は、カートンの組立状態において、ボトルどうしが干渉しないよう、パッケージングされた隣接ボトル間の位置に、各タブ（５６）が位置するようにして、折曲線（２６）に隣接して配置されている。底壁重ね合わせフラップ（４４）は、このフラップから切り出されたオス型ロックタブ（６０）を有している。これらオス型ロックタブ（６０）は、折曲線（６２）に沿って底壁重ね合わせフラップ（４４）に対して折曲可能に連結されている。これらオス型ロックタブ（６０）は、カートンの組立状態において、折曲線（５８）と折曲線（６２）とが互いに位置合わせされた状態でもって、それぞれ対応するメス型タブ（５６）に対して位置合わせされるようにして配置されているとともに、カートンの内方へと折り曲げられて、メス型タブ（５６）と係合する。ロックタブ（５６，６０）は、本発明によるカートンにおいて好適に使用可能な典型的な底壁重ね合わせフラップロック機構を例示するために、図示されている。しかしながら、任意の所望の効果的な態様をなす底壁重ね合わせフラップロック手段を使用し得ることは、理解されるであろう。例えば、ロックタブ（５６，６０）は、米国特許第４，０７７，０９５号明細書や米国特許第４，２４３，１４３号明細書や米国特許明細書第５，１３１，５８８号や米国特許明細書第４，２４３，０４３号に開示されているようなロック手段によって代替することができる。これら文献の記載内容は、参考のため、ここに組み込まれる。それに代えて、底壁重ね合わせフラップ（４２，４４）を、互いに接着することもできる。
【００１５】
さらに図２に示すように、保持構造（３８，４０）は、互いに実質的に同じ構成のものとされている。よって、以下においては、保持構造（３８）についてのみ説明し、保持構造（４０）に関する説明は省略する。しかしながら、保持構造（４０）の構成は、保持構造（３８）の構成部材に対するものと同様の符号が、保持構造（４０）の各構成部材に対して付与されていることから、図２により明らかである。端部保持構造（３８）は、３つの中間折曲線（６４，６６，６８）を備えている。これら中間折曲線（６４，６６，６８）は、保持構造（３８）を、記載順に折曲可能に連結された４つのパネル部分（７０，７４，７６，７８）へと分割している。折曲線（６４）は、保持構造（３８）を側壁パネル（１８）に対して折曲可能に連結している折曲線（５０）に対して、位置合わせされている。折曲線（６４）は、保持構造（３８）の外側エッジから、保持構造（３８）内に形成されている切欠（７３）のところまでにわたって、延在している。この折曲線（６４）は、第１部分すなわち三角形逃げパネル（７０）を、保持構造（３８）の残部から区画している。逃げパネル（７０）は、実際、折曲線（４６）から底壁重ね合わせフラップ（４２）の外側エッジのところまでにわたって延在している切込線（７２）を介して、底壁重ね合わせフラップ（４２）から形成されている。よって、逃げパネル（７０）は、切込線（７２）と、折曲線（４６，６４）と、によって規定されている。折曲線（６６）は、底壁重ね合わせフラップ（４２）を側壁パネル（１８）に対して折曲可能に連結している折曲線（２６）に対して、位置合わせされている。折曲線（６６）は、保持構造（３８）の外側エッジから、切欠（７３）のところまでにわたって、延在している。よって、この折曲線（６６）は、折曲線（６４）と協働して、第２パネル部分すなわち端部パネル（７４）を、保持構造（３８）の残部から区画している。同様に、折曲線（６８）は、保持構造（３８）の外側エッジから、切欠（７３）のところまでにわたって、延在している。折曲線（６８）は、保持構造（３８）のさらなる残部を、第３パネル部分と第４パネル部分とに区画している、すなわち、ガセットパネル（７６）とアンカーパネル（７８）とに区画している。ガセットパネル（７６）は、折曲線（６６）に沿って、端部パネル（７４）に対して折曲可能に連結されている。一方、アンカーパネル（７８）は、ガセットパネル（７６）と側壁パネル（１８）とを折曲可能に相互連結している。言い換えれば、アンカーパネル（７８）は、保持構造（３８）のうちの一方の端部部分であり、折曲線（５０）に沿って側壁パネル（１８）に対して直接的に連結された端部部分である。他方の端部部分は、逃げパネル（７０）であり、この逃げパネル（７０）は、折曲線（４６）に沿って底壁重ね合わせフラップ（４２）に対して直接的に連結されている。折曲線（４６）は、折曲線（６８）に対して位置合わせされており、折曲線（６４）に対して角度（θ１）（図３に図示）を形成している。この角度（θ１）は、折曲線（５０，６８）間の角度（θ２）（図３に図示）に対して、略等しいものとされている。角度（θ２）は、典型的には、折曲線（５０，６���）間の角度の半分とされる。この実施形態においては、各角度（θ１，θ２）は、約４５°とされている。しかしながら、これら角度は、ブランク内のパネル構成に応じて、変更することができる。
【００１６】
本発明によるカートンの形成に関しては、直線ライン型機械内における一連をなす複数の折曲操作および接着操作によって、カートンを形成することが想定される。よって、カートンを完成させるに際して、回転させたりひっくり返したりする必要はない。折曲操作は、後述のものに限定されるものではなく、特定の製造要求に従って変更することができる。
【００１７】
図４および図５は、保持構造の予備的折曲プロセスを示している。第１ステップにおいては、各保持構造の第２〜第４パネル部分（７４，７６，７８）を、折曲線（５０，６４）に沿って折り曲げる。これにより、アンカーパネル（７８）を、側壁パネル（１８）の内面に対して面接触した位置関係とする。この状況は、図４に明瞭に示されている。好ましくは、アンカーパネル（７８）を側壁パネルに対して接着し、これにより、折曲状態を維持する。次に、ガセットパネル（７６）を、折曲線（６８）に沿って折り曲げて、アンカーパネル（７８）上に位置させる。さらに、端部パネル（７４）を、折曲線（６６）に沿って内向きに折り曲げて、ガセットパネル（７６）上に位置させる。この状況は、図５に明瞭に示されている。端部パネル（７４）およびガセットパネル（７６）の折曲に応答して、逃げパネル（７０）は、ガセットパネル（７６）に向けて折曲線（４６）回りに揺動し、底壁重ね合わせフラップ（４２）の内表面上に位置することとなる。逃げパネル（７０）の揺動により、底壁重ね合わせフラップ（４２）が側壁パネル（１８）に向けて引っ張られたりあるいは折り曲げられたりすることが、防止される。これにより、ブランク（５４）は、図５に示すように、フラットなままとされる。この時点で、カートンは、保持構造に関する予備的折曲が完了した半組立状態であるものの、フラットな圧潰状態であって、エンドユーザーに対しての供給待ち状態となっている。
【００１８】
物品カートンを立体化するには、頂壁パネル（１６）を、カートンによってパッケージングされるべく一列に並べられた複数の瓶の頂部に対して、適用する。折曲線（２２，２４）に沿って側壁パネル（１８，２０）を下向きに折り曲げ、さらに、傾斜付き上部パネル部分（３４，３６）を折曲線（３０，３２）に沿って折り曲げて、側壁パネル（１８，２０）の残部に対して傾斜させる。これにより、傾斜付き上部パネル部分（３４，３６）を、各瓶の側面に対して当接した状態とする。各瓶の頂部を穴（１４）内に挿入し、これにより、各瓶を所定位置に保持する。側壁パネル（１８，２０）を各瓶の側壁に対して当接させるに先立って、底壁重ね合わせフラップ（４２，４４）を、折曲線（２６，２８）に沿って互いに向けて折り曲げる。この折曲操作により、逃げパネル（７０）が、端部パネル（７４）を、折曲線（６６）に沿って外向きに引き上げて、端部パネル（７４）を起立状態とする。より詳細には、底壁重ね合わせフラップ（４２，４４）を折曲線（２６，２８）に沿って折り曲げたときには、逃げパネル（７０）が、初期位置に向けて、折曲線（４６）に沿って自動的に広げられる。これにより、端部パネル（７４）が、対応する逃げパネル（７０）に対する折り重ね状態から、折曲線（６４）に沿って広げられ、端部パネルどうしが互いに離間する向きに外向きに押し広げられる。この暫定状況は、図６に示されている。図６においては、底壁重ね合わせフラップ（４２）が、側壁パネル（１８）に対していくらか折り曲げられている。しかしながら、底壁重ね合わせフラップ（４２）は、側壁パネル（１８）に対してなおも鋭角を形成している。このため、底壁重ね合わせフラップ（４２）を側壁パネル（１８）に対して９０°に配置したときには、逃げパネル（７０）が、底壁重ね合わせフラップ（４２）がなす平面上に位置した初期位置へと、復帰する。一方、端部パネル（７４）は、折曲線（２６）に対して垂直をなす起立状態とされる。この端部パネル起立化プロセスの最中には、あるいは、この端部パネル起立化プロセスの後には、側壁パネル（１８，２０）が、各瓶に対して当接し、端部に位置した瓶の底部が、端部パネル（７４）とガセットパネル（７６）との間のコーナー部分内に緊密に受領される。同時に、底壁重ね合わせフラップどうしを、互いにオーバーラップした関係とする。
【００１９】
カートンの組立に関する最終ステップは、底壁重ね合わせフラップ（４２，４４）を互いにロックすることである。使用されている特定のロック機構が本発明の一部を構成するものではないことにより、このロック操作の詳細は、例示していない。しかしながら、当業者であれば、図示のロック機構においては、オス型タブ（６２）が、折曲線（６２）回りに折り曲げられて、メス型タブ（５６）によって底壁重ね合わせフラップ（４２）内に形成された開口の中へと進入し、その開口の周縁部に対して係合することは、理解されるであろう。タブ（５６，６０）のロックによって、カートンは、図１に示すような組立状態となる。この実施形態におけるカートンにおいては、予め接着されたアンカーパネル（７８）が、端部パネルを起立状態に維持する。しかしながら、同じ結果は、アンカーパネルを側壁パネルに対して接着しない構成においても、得ることができる。そのような場合であっても、アンカーパネル（７８）に対しての各瓶による圧力が、アンカーパネルを所定位置に保持し、これにより、端部パネルが起立状態に保持される。
【００２０】
本発明について、３つの瓶を収容し得るよう構成されたカートンに関連して説明してきたけれども、本発明によるカートンは、３つよりも多数のあるいは少数の物品を収容し得るよう構成されたカートンとすることができるとともに、様々なサイズや形状の物品に関して適用することができる。例えば、パッケージング対象をなす物品が、ネックを有していたり、あるいは、頂壁パネルを超えて延在するような形状を有していたり、する場合には、図２における各対をなす穴（１４）は、瓶のネックまたは同様の突出部分を外側へと突出させ得るような１つの大きな穴へと、変更することができる。そのような代替可能な実施形態は、図７において、ブランクの形態で示されている。図７においては、図２において使用されている部材と同様の部材には、図２における符号に１００を加算した符号が付されている。カートンの特定の構成に関係なく、本発明による原理は同じであって、保持構造は、底壁重ね合わせフラップの折曲によって、最終的な起立状態へと自動的に移行する。
【００２１】
また、本明細書において、カートンまたはカートンブランクに関しての『頂』や『底』や『側』といったような用語は、相対的な用語であって、必要に応じてまた所望に応じて、カートンの向きを変更し得ることは、理解されるであろう。
【図面の簡単な説明】
【００２２】
【図１】本発明によるカートンを示す斜視図である。
【図２】図１のカートンを形成するために使用されるブランクを示す平面図である。
【図３】図２のブランクの一部を拡大して示す拡大図である。
【図４】ブランクを示す平面図であって、保持構造の予備的折曲プロセスの最初の段階を示している。
【図５】図４と同様にブランクを示す平面図であるものの、この場合には、端部パネルをガセットパネル上へとフラットに折り曲げた様子を示している。
【図６】一方の側壁パネルの内面を示す斜視図であって、関連する底壁ラップパネルの内向き折曲に応答して、端部パネルが自動的に起立した暫定状況を示している。
【図７】代替可能な実施形態によるカートンを形成するために使用されるブランクを示す平面図である。
【符号の説明】
【００２３】
１０  巻付型カートン
１２  底壁パネル（複合型の底壁パネル）
１６  頂壁パネル
１８  側壁パネル（一方の側壁パネル）
２０  側壁パネル
３８  端部保持構造
４０  端部保持構造
４２  底壁重ね合わせフラップ（底壁フラップ、一方の底壁フラップ）
４４  底壁重ね合わせフラップ（底壁フラップ）
４６  折曲線（第１折曲線）
５０  折曲線（第４折曲線）
５４  ブランク
６４  折曲線（第３折曲線）
６６  折曲線（第５折曲線）
６８  折曲線（第２折曲線）
７０  逃げパネル
７３  切欠
７４  端部パネル
７６  ガセットパネル
７８  アンカーパネル
θ１  第１角度
θ２  第２角度
【国際公開パンフレット】
2005503965.tif 000003
2005503965.tif 000004
2005503965.tif 000005
2005503965.tif 000006
2005503965.tif 000007
2005503965.tif 000008
2005503965.tif 000009
2005503965.tif 000010
2005503965.tif 000011
2005503965.tif 000012
2005503965.tif 000013
2005503965.tif 000014
2005503965.tif 000015
2005503965.tif 000016
2005503965.tif 000017
2005503965.tif 000018
2005503965.tif 000019
2005503965.tif 000020
2005503965.tif 000021
【国際調査報告】
2005503965.tif 000022
2005503965.tif 000023
2005503965.tif 000024
2005503965.tif 000025